(57)【要約】【課題】送風の対象が、扇風機の操作を行えない乳幼児、重病人、高齢者、ペットや家畜などの動物であっても、使用者（親、介護者、飼主など）によって適度な風を送ることが、より簡単に、高額化することなく提供すること。【解決手段】送風部１００と、本体部２００と、表示部３００で構成される扇風機において、風速と気温と湿度を基に送風対象の体感温度を算定し、算定した体感温度を表示部３００に表示する。【選択図】図１
0003225740.tif 000002
【実用新案登録請求の範囲】
【請求項１】
送風部（１００）と、本体部（２００）と、表示部（３００）で構成される扇風機において、
風速と気温と湿度を基に送風対象の体感温度を算定し、
算定した体感温度を表示部（３００）に表示することを特徴とする扇風機。
【請求項２】
風速は、羽根（１１０）の回転数と、送風部（１００）と送風対象との距離に応じてあらかじめ用意された風速テーブルを参照して求めることを特徴とする請求項１記載の扇風機。
【請求項３】
扇風機（１０）は、ネットワークを介して通信端末（２０）に接続され、
体感温度は、通信端末（２０）の表示部（３００）に表示することを特徴とする請求項１記載の扇風機。
【請求項４】
羽根（１１０）の回転数又は送風対象との距離は、通信端末（２０）によってリモートコントロールできることを特徴とする請求項１記載の扇風機。
【請求項５】
送風対象は、使用者本人、乳幼児、病人、老人、動物であることを特徴とする請求項１記載の扇風機。
【請求項６】
扇風機（１０）は、ベッド、ベビーカー、車いす、建物の柱に取り付けて使用することを特徴とする請求項１記載の扇風機。
【請求項７】
表示部（３００）は、気温、湿度、電源（２２０）の電池残量を表示することを特徴とする請求項１記載の扇風機。
【考案の詳細な説明】
【技術分野】
【０００１】
本考案は、扇風機に関するものであり、特に体感温度を把握できる扇風機に関する。
【背景技術】
【０００２】
コンパクトな扇風機が販売され、外出時に持ち歩いて使用したり、職場のディスクに置いて使用したりしている。
これらの扇風機は、運転モードの切換えができる高額なタイプや、１００円ショップなどで売られている低額なタイプなど、多種多様である。
【０００３】
扇風機は手軽に使用できる反面、高温下での使用により、弊害が発生する恐れがあると指摘されることがある。
例えば、汗は蒸発する時の気化熱により体内の熱を逃がして体温を下げるが、高温のなかで扇風機だけを使うと、熱を奪う前に汗だけが乾いてしまって体温は上がったままになり、熱中症や脱水症状を引き起こす危険がある。
特に、ベビーカーにカバーを被せて扇風機を使用することや、高齢者がエアコンを使用せずに扇風機だけに頼って部屋に閉じこもることは、その危険性をかなり高くしている。
逆に、過度な送風による体温の低下を引き起こすこともある。
【０００４】
体温の異常を把握するために、扇風機の使用中に体温を測り続けることは困難であるため、風量制御を行う扇風機の発明がなされている。
例えば、特許文献１の発明は、温度センサで検知した室温と、使用者が設定した体感温度に基づいて、扇風機の正面から所定距離の場所の風速が設定した体感温度となるように、モーターの回転数を制御するものである。
なお、体感温度とは、肌が感じる温度感覚を数値で表したものである。
肌の温度感覚は気温だけではなく、湿度や風速の影響を受けやすいため、体感温度の算定には気温をそれらの数値で補正して使用する。
代表的なものとして、風速による補正を加えたものとして、リンケの体感温度式［式１］が知られている。
Ｔｎ＝Ｔ−４×√ｖ・・・・・・・・・・［式１］
Ｔｎ：体感温度（℃）、Ｔ：室温（℃） 、ｖ：風速（ｍ／ｓ）
【０００５】
しかしながら、特許文献１の発明を実施すると、扇風機の価格が高額化してしまって汎用性がかなり低下してしまう。
また、扇風機の使用者が体感温度を設定する構成であるため、乳幼児、重病人、高齢者、ペットや家畜などの動物が送風の対象である場合は、扇風機を操作することが困難である。
また、暑いのか寒いのかの意思の確認も難しく、送風対象によっては使用には不向きとの問題も生じる。
【先行技術文献】
【特許文献】
【０００６】
【特許文献１】特開２０１５−１８３６６９号公報
【考案の概要】
【考案が解決しようとする課題】
【０００７】
送風の対象が、扇風機の操作を行えない乳幼児、重病人、高齢者、ペットや家畜などの動物であっても、使用者（親、介護者、飼主など）によって適度な風を送ることが、より簡単に、高額化することなく提供することに課題がある。
【課題を解決するための手段】
【０００８】
送風部１００と、本体部２００と、表示部３００で構成される扇風機において、風速と気温と湿度を基に送風対象の体感温度を算定し、算定した体感温度を表示部３００に表示する。
【考案の効果】
【０００９】
本考案の扇風機は、送風対象の体感温度を把握することで、自分では操作を行えない乳幼児、重病人、高齢者、ペットや家畜などの動物に対しても、使用者（親、介護者、飼主など）によって適度な風を送ることができるという効果がある。
【図面の簡単な説明】
【００１０】
【図１】扇風機１０の概略図面である。
【図２】実施例１のブロック図である。
【図３】実施例２に使用する通信端末（スマートフォン）の概略図面である。
【図４】実施例２のブロック図である。
【考案を実施するための形態】
【００１１】
本考案の扇風機１０について実施例に基づいて説明する。
【実施例１】
【００１２】
実施例１の扇風機１０は、送風部１００と、本体部２００と、表示部３００で構成されている。
【００１３】
＜送風部＞
送風部１００は、羽根１１０と、モーター１２０と、カバー１３０で構成され、角度を変えることができるように本体部２００に連結されている。
羽根１１０は、スクリュー形状であり、モーター１２０に取り付けられており、モーター１２０の回転と連動して送風を行う。
カバー１３０は、羽根１１０との接触によるケガなどを防止するために、羽根１１０を覆っている。
【００１４】
＜本体部２００＞
本体部２００は、電子回路２１０と電源２２０を内蔵し、表面に操作部２３０が設けられている。
本体部２００は、ベッド、ベビーカー、車いす、建物の柱などに取り付けるために、クリップやベルトなどの固定手段を設けることもできる。
【００１５】
＜電子回路＞
電子回路２１０は、モーター制御部２１１と、温湿度センサ２１２と、演算部２１３と、メモリー２１４で構成されている。
モーター制御部２１１は、モーター１２０の回転を制御する。
演算部２１３は、風速と、温湿度センサ２１２で測定した気温と湿度を基にして、演算プログラムを使って体感温度を算定する。
風速は、羽根１１０の回転数と送風対象との距離に応じて、あらかじめ用意された風速テーブルを参照して求めることができる。
メモリー２１４は、演算プログラム、風速テーブルなどを記憶している。
＜電源＞
電源２２０は、乾電池又は充電可能な二次電池で構成されている。
二次電池を使用する場合は、充電端子や、ＵＳＢ端子が本体部２００の外部に設けられている。
＜操作部＞
操作部２３０は、扇風機１０のＯＮ／ＯＦＦと、羽根１１０の回転数の切換え、羽根１１０の回転数の入力や送風対象との距離の入力を行う。
ＯＮ／ＯＦＦ操作や回転数の切換えは、スイッチで操作する。
また、タッチパネル機能を有する表示装置を操作部２３０とすれば、体感温度を算定するために使用する羽根１１０の回転数や送風対象との距離の入力に適している。
【００１６】
＜表示部＞
表示部３００は、実施例１においては、本体部２００の表面に設けられている。
表示部３００は、例えば液晶表示装置であり、演算部２１３で算定した体感温度を表示し、気温、湿度、二次電池の残量なども表示することができる。
なお、タッチパネル機能を有する表示装置であれば、操作部２３０として使用できる。
【００１７】
次に、実施例１の扇風機１０の機能を説明する。
扇風機１０をＯＮにすると、モーター１２０が回転して送風が行われる。
【００１８】
温湿度センサ２１２で測定した気温と湿度は、演算部２１３と表示部３００に送信される。
演算部２１３は、風速テーブルを参照して求めた風速と、気温と湿度を基にして、演算プログラムを使って体感温度を算定し、体感温度は表示部３００に送信される。
風速テーブルは、羽根１１０の回転数と送風対象との距離に応じた風速が規定され、メモリー２１４から参照できる。
例えば、ハンディ型扇風機を使用者自身に対して使用する場合、送風部１００と顔や首筋との距離は概ね３０ｃｍであるため、送風対象との距離を３０ｃｍとして、羽根の回転数が１０００ｒｐｍに対応する風速を風速テーブルから求める。
なお、羽根１１０の回転数を切換えた場合や、送風対象との距離を変えた場合は、操作部２３０から回転数と距離を入力して、風速テーブルから風速を求める。
算定には、リンケの体感温度式や、ミスナールの体感温度式などを使用する。
【００１９】
表示部３００は、液晶表示装置を使って、気温、湿度、体感温度、電池残量（二次電池タイプの場合）を表示する。
気温と体感温度を表示することで、扇風機１０の送風効果が体感温度として可視化される。
【００２０】
例えば、気温の変化や湿度の変化により体感温度が低い場合は、羽根１１０の回転数を少なくしたり、扇風機１０を離したりして、適度な風を送るようにすればよい。
逆に、体感温度が高い場合は、羽根１１０の回転数を多くしたり、扇風機１０を近づけたりして、適度な風を送るようにすればよい。
その際、羽根１１０の回転数と送風対象との距離の変更に伴って、操作部２３０から回転数や距離を入力して風速テーブルから風速を求めて体感温度を算定する。
この様にして、算定された体感温度は、表示部３００に表示されるので、使用者は適度な送風を行うことができる。
【００２１】
羽根１１０の回転数が切換えられないタイプの扇風機１０を自分の顔や首筋に向けて使用している場合は、肘を伸ばしたり、縮めたりして扇風機１０からの風速を変えて体感温度を調整できる。
ベッド、ベビーカー、車いす、建物の柱にクリップやベルトを使って固定して使用している場合は、扇風機１０と送風対象の距離を調整して体感温度を調整できる。
【００２２】
この様に、本考案の扇風機１０は、送風対象が使用者自身の場合に限らず、乳幼児、重病人、高齢者、ペットや家畜などの動物のように暑いのか寒いのかが確認できない場合であっても、体感温度が可視化されているので、使用者（親、介護者、飼主など）によって適度な風を送ることができる。
【実施例２】
【００２３】
実施例２の扇風機１０は、送風部１００と、本体部２００と、表示部３００で構成されていることは実施例１と共通するが、扇風機１０がネットワークを介して通信端末２０に接続されている点が異なっている。
なお、通信端末２０は、スマートフォンやタブレット、パソコンなどのネットワークに接続された通信機器である。
【００２４】
＜送風部＞
送風部１００は、実施例１の扇風機１０と同じ構成であるため説明は省略する。
【００２５】
＜本体部＞
本体部２００は、電子回路２１０と電源２２０を内蔵し、表面に操作部２３０が設けられている。
電子回路２１０以外は、実施例１の扇風機１０と同じ構成であるため説明は省略する。
【００２６】
＜電子回路＞
電子回路２１０は、モーター制御部２１１と、温湿度センサ２１２と、演算部２１３と、メモリー２１４と、通信部２１５で構成されており、通信部２１５以外は実施例１の扇風機１０と同じ構成であるため説明は省略する。
通信部２１５は、通信端末２０と双方向の通信を行う。
つまり、扇風機１０側からは温湿度センサ２１２で測定した気温と湿度、演算部２１３で算出した体感温度、電源２２０の電池残量（二次電池タイプの場合）を通信端末２０に送信し、通信端末２０側からは、扇風機１０のＯＮ／ＯＦＦの制御信号、羽根１１０の回転数を切換えるモーター制御部２１１への信号、羽根１１０の回転数の入力情報や送風対象との距離の入力情報を受信する。
＜電源＞
電源２２０は、実施例１の扇風機１０と同じ構成であるため説明は省略する。
＜操作部＞
操作部２３０は、実施例１の扇風機１０と同じ構成であるため説明は省略する。
【００２７】
＜表示部＞
実施例２の表示部３００は、本体部２００に設けられた表示装置に加え、通信端末２０の表示装置を使用できる。
どちらの表示部３００も演算部２１３で算定した体感温度を表示し、温湿度センサ２１２で測定した気温と湿度、電源２２０の電池残量なども表示することができる。
なお、タッチパネル機能を有する表示装置であれば、操作部２３０として使用できる。
【００２８】
次に、実施例２の扇風機１０の機能を説明する。
実施例１の扇風機１０と同じ機能は、説明を省略する。
【００２９】
扇風機１０を直接操作できる状況では、表示部３００は本体部２００の表示装置を使用するが、扇風機１０を直接操作できない状況などで、リモートコントロールしたい場合は、通信端末２０の表示装置を表示部３００として使用する。
なお、実施例１の扇風機１０同様に、タッチパネル機能を有する表示装置であれば、操作部２３０としても使用できる。
【００３０】
扇風機１０を直接操作できる場合は、実施例１と同じであるため説明は省略する。
ここでは、通信端末２０を使って扇風機１０をリモートコントロールする機能について説明する。
【００３１】
例えば、気温の変化や湿度の変化により体感温度が低下又は上昇した場合、通信端末２０側からモーター１２０を制御して羽根１１０の回転数を切換えて風速を調整し、送風対象に適度な風を送るようにすればよい。
例えば、家畜を飼育する畜舎などで使用する場合は、通信端末２０側から遠隔制御して家畜と扇風機１０の距離を調整し、適度な風を送るようにすることもできる。
その際、羽根１１０の回転数と送風対象との距離の変更に伴って、操作部２３０から回転数や距離を入力して風速テーブルから風速を求めて体感温度を算定する。
この様にして、算定された体感温度は、表示部３００に表示されるので、使用者は適度な送風を行うことができる。
【産業上の利用可能性】
【００３２】
本考案の扇風機は、風速と気温と湿度に基づいて送風対象の体感温度を算定し、算定した体感温度を表示部に表示するので、熱を発生する機械の冷却などの用途にも適用できる。
この用途の場合は、体感温度を表面温度と表現することが適切である。
【符号の説明】
【００３３】
１０    扇風機
２０    通信端末
１００  送風部
１１０  羽根
１２０  モーター
１３０  カバー
２００  本体部
２１０  電子回路
２１１  モーター制御部
２１２  温湿度センサ
２１３  演算部２１３
２１４  メモリー２１４
２１５  通信部
２２０  電源
２３０  操作部
３００  表示部
【図１】
0003225740.tif 000003
【図２】
0003225740.tif 000004
【図３】
0003225740.tif 000005
【図４】
0003225740.tif 000006
【手続補正書】
【提出日】令和2年1月31日(2020.1.31)
【手続補正１】
【補正対象書類名】実用新案登録請求の範囲
【補正対象項目名】全文
【補正方法】変更
【補正の内容】
【実用新案登録請求の範囲】
【請求項１】
本体部（２００）と、本体部（２００）に連結された送風部（１００）と、本体部（２００）の表面に設けられた表示部（３００）で構成される扇風機において、
風速と気温と湿度を基に送風対象の体感温度を算定し、
算定した体感温度を表示部（３００）に表示することを特徴とする扇風機。
【請求項２】
風速は、送風部（１００）が備える羽根（１１０）の回転数と、送風部（１００）と送風対象との距離に応じてあらかじめ用意された風速テーブルを参照して求めることを特徴とする請求項１記載の扇風機。
【請求項３】
扇風機（１０）は、ネットワークを介して通信端末（２０）に接続され、
体感温度は、通信端末（２０）の表示部（３００）に表示することを特徴とする請求項１記載の扇風機。
【請求項４】
送風部（１００）が備える羽根（１１０）の回転数又は送風対象との距離は、通信端末（２０）によってリモートコントロールできることを特徴とする請求項１記載の扇風機。
【請求項５】
送風対象は、使用者本人、乳幼児、病人、老人、または、動物であることを特徴とする請求項１記載の扇風機。
【請求項６】
扇風機（１０）は、ベッド、ベビーカー、車いす、または、建物の柱に取り付けて使用することを特徴とする請求項１記載の扇風機。
【請求項７】
表示部（３００）は、気温、湿度、または、電源（２２０）の電池残量を表示することを特徴とする請求項１記載の扇風機。
【手続補正２】
【補正対象書類名】明細書
【補正対象項目名】０００８
【補正方法】変更
【補正の内容】
【０００８】
本体部２００と、本体部２００に連結された送風部１００と、本体部２００の表面に設けられた表示部３００で構成される扇風機において、風速と気温と湿度を基に送風対象の体感温度を算定し、算定した体感温度を表示部３００に表示する。